(57)【要約】【課題】血糖測定装置等の対象装置の構成を複雑化することなく、また、その装置の操作に影響を及ぼすことなく、その時刻情報等の誤差等を簡易且つ精度良く修正等することができる情報管理装置等を提供すること。【解決手段】対象装置５０の時刻情報及び、非時刻情報であって特定基準時からの時の経過を規則的に計測する非時刻計時情報を伴う基本情報を格納する基本情報格納部２２と、非時刻計時情報を伴う対象装置の特定の時刻情報である対象装置側特定時刻情報を格納する対象装置側特定時刻情報格納部２３と、対象装置側特定時刻情報と同様のタイミングで取得した情報管理装置の計時装置の特定の時刻情報である情報管理装置側特定時刻情報２５ａ及び非時刻計時情報に基づき、当該非時刻計時情報に対応する基本情報の時刻情報を修正する時刻修正部２９と、を有する情報管理装置１０。【選択図】図９
2010233695.tif 000002
【特許請求の範囲】
【請求項１】
対象装置の時刻情報及び、非時刻情報であって特定基準時からの時の経過を規則的に計測する非時刻計時情報を伴う基本情報と、前記非時刻計時情報を伴う前記対象装置の特定の時刻情報である対象装置側特定時刻情報を取得する対象装置情報取得部と、
前記基本情報を格納する基本情報格納部と、
前記対象装置側特定時刻情報を格納する対象装置側特定時刻情報格納部と、
前記対象装置側特定時刻情報と同様のタイミングで取得した情報管理装置の計時装置の特定の時刻情報である情報管理装置側特定時刻情報及び前記非時刻計時情報に基づき、当該非時刻計時情報に対応する前記基本情報の前記時刻情報を修正する時刻修正部と、を有することを特徴する情報管理装置。
【請求項２】
前記対象装置側特定時刻情報と同様のタイミングで取得した情報管理装置側特定時刻情報と、前記対象装置側特定時刻情報との間の装置間時刻差分情報を生成する装置間時刻差分情報生成部と、
前記装置間時刻差分情報に基づき前記時刻情報の修正をするべきか否かを判断する時刻修正実行判断部と、
前記時刻修正実行判断部が修正するべきか否かを判断するための参照判断情報を格納する参照判断情報格納部と、を有することを特徴とする請求項１に記載の情報管理装置。
【請求項３】
前記基本情報の前記時刻情報を修正した修正結果情報を表示する表示部を有することを特徴とする請求項１又は請求項２に記載の情報管理装置。
【請求項４】
対象装置の時刻情報及び非時刻情報であって特定基準からの時の経過を規則的に計測する非時刻計時情報を伴う基本情報と、前記非時刻計時情報を伴う前記対象装置の特定の時刻情報である対象装置側特定時刻情報を対象装置情報取得部が取得する工程と、
前記基本情報を基本情報格納部に格納する工程と、
前記対象装置側特定時刻情報を対象装置側特定時刻情報格納部に格納する工程と、を有し、
前記対象装置側特定時刻情報と同様のタイミングで取得した情報管理装置の計時装置の特定の時刻情報である情報管理装置側特定時刻情報及び前記非時刻計時情報に基づき、当該非時刻計時情報に対応する前記基本情報の前記時刻情報を時刻修正部が修正することを特徴する情報管理方法。
【請求項５】
前記対象装置側特定時刻情報と同様のタイミングで取得した情報管理装置側特定時刻情報と、前記対象装置側特定時刻情報との間の装置間時刻差分情報を装置間時刻差分情報生成部が生成する工程と、
前記装置間時刻差分情報に基づき前記時刻情報の修正をするべきか否かを参照判断情報格納部の参照判断情報に基づいて時刻修正実行判断部が判断する工程と、を有することを特徴とする請求項４に記載の情報管理方法。
【請求項６】
前記時刻修正部が前記基本情報の前記時刻情報を修正した修正結果情報を表示部に表示することを特徴とする請求項４又は請求項５に記載の情報管理方法。
【請求項７】
生体情報の検出機能を有し、生体または生体由来物質から生体情報を取得する測定部と、
情報を表示する測定装置表示部と、
時刻情報を生成する測定装置時計と、
非時刻情報であって特定基準時からの時の経過を規則的に計測する非時刻計時情報を生成する非時刻情報生成装置と、
他の装置と通信するための通信部と、を有する生体情報取得装置であって、
前記生体情報を取得した時に、前記測定装置時計の生成する時刻情報と、前記非時刻情報生成装置の非時刻情報を、前記生体情報と関連付けて格納する測定データ記憶部を有することを特徴とする生体情報取得装置。
【請求項８】
生体情報の検出機能を有し、生体または生体由来物質から生体情報を取得する測定部と、
情報を表示する測定装置表示部と、
時刻情報を生成する測定装置時計と、
非時刻情報であって特定基準時からの時の経過を規則的に計測する非時刻計時情報を生成する非時刻情報生成装置と、
他の装置と通信するための通信部と、を有する生体情報取得装置と、
前記生体情報取得装置の時刻情報及び、非時刻情報であって特定基準時からの時の経過を規則的に計測する非時刻計時情報を伴う基本情報と、前記非時刻計時情報を伴う前記生体情報取得装置の特定の時刻情報である対象装置側特定時刻情報を取得する対象装置情報取得部と、を有する情報管理装置を備える生体情報管理システムであって、
前記生体情報取得装置は、前記生体情報を取得した時に、前記測定装置時計の生成する時刻情報と、前記非時刻情報生成装置の非時刻情報を、前記生体情報と関連付けて測定データ記憶部を有し、
前記情報管理装置は、前記基本情報を格納する基本情報格納部と、
前記対象装置側特定時刻情報を格納する対象装置側特定時刻情報格納部と、
前記対象装置側特定時刻情報と同様のタイミングで取得した情報管理装置の計時装置の特定の時刻情報である情報管理装置側特定時刻情報及び前記非時刻計時情報に基づき、当該非時刻計時情報に対応する前記基本情報の前記時刻情報を修正する時刻修正部と、を有することを特徴する生体情報管理システム。
【発明の詳細な説明】
【技術分野】
【０００１】
本発明は、血糖測定装置等の他の装置から取得した基本情報の計時情報を管理するための情報管理装置、情報管理方法、生体情報取得装置及び生体情報管理システムに関するものである。
【背景技術】
【０００２】
従来より、血糖測定装置等の機器は、内部に時計を有しており、測定が終わると、時計の時刻情報を参照し、この時刻を測定データと関連付けて、登録する機能を有している。そして、血糖測定装置の使用者は、かかる測定データが蓄積した状態で、当該血糖測定器を持って、病院等に行き、担当する医師等にかかる蓄積した測定データを提供する。
このとき、医師側は、血糖測定装置内に蓄積された測定時刻を伴う測定データを、コンピュータ等の情報管理装置に取り込み、測定時刻と測定データから病気等を診断することになる。
一方、血糖測定装置は、その内部に時計を有しているが、その精度はそれほど高くなく、時刻に誤差が生じる場合がある。そのため、血糖測定装置は、この誤差を修正するための時刻修正装置を有している。
しかし、この血糖測定装置の使用者は老人等が多いため、この時刻修正装置を誤って操作する場合があり、この場合、折角測定した測定データが誤ったデータとなり、ひいては、医師等が診断を誤る等の問題があった。
【０００３】
一般に測定装置の時刻に誤差等が生じた場合、他の装置の精度の高い時刻データに基づいて、自動的に修正等することが行われている（例えば、特許文献１等）。
【先行技術文献】
【特許文献】
【０００４】
【特許文献１】特開２００３−２６５４１９号公報（図１等）
【発明の概要】
【発明が解決しようとする課題】
【０００５】
しかし、血糖測定装置等は、使用者が廉価に利用できることが重要であり、常時、他の装置と通信して、精度の高い時刻情報を取得する構成とすると構成が複雑化し、極めて高価なものとなってしまうという問題がある。
また、病院等で血糖測定装置等を情報管理装置と接続している際に、情報管理装置の精度の高い時刻情報に基づいて、血糖測定装置の時計の誤差を自動的に修正しようとすると、医療機器である血糖測定装置等の操作に影響を及ぼすという問題もあった。
【０００６】
そこで、血糖測定装置等の対象装置の構成を複雑化することなく、また、その装置の操作に影響を及ぼすことなく、その時刻情報等の誤差等を簡易且つ精度良く修正等することができる情報管理装置、情報管理方法、生体情報取得装置及び生体情報管理システムを提供することを目的とする。
【課題を解決するための手段】
【０００７】
前記課題は、本発明によれば、対象装置の時刻情報及び、非時刻情報であって特定基準時からの時の経過を規則的に計測する非時刻計時情報を伴う基本情報と、前記非時刻計時情報を伴う前記対象装置の特定の時刻情報である対象装置側特定時刻情報を取得する対象装置情報取得部と、前記基本情報を格納する基本情報格納部と、前記対象装置側特定時刻情報を格納する対象装置側特定時刻情報格納部と、前記対象装置側特定時刻情報と同様のタイミングで取得した情報管理装置の計時装置の特定の時刻情報である情報管理装置側特定時刻情報及び前記非時刻計時情報に基づき、当該非時刻計時情報に対応する前記基本情報の前記時刻情報を修正する時刻修正部と、を有することを特徴する情報管理装置により達成される。
【０００８】
前記構成によれば、対象装置情報取得部が取得する基本情報には、時刻情報のみならず非時刻情報であって特定基準時からの時の経過を規則的に計測する非時刻計時情報、例えば、連続カウント値も含まれている。また、対象装置情報取得部は、この非時刻計時情報を伴う対象装置の特定の時刻情報である対象装置側特定時刻情報、例えば、対象装置情報取得部が対象装置側特定時刻情報を取得した時点の時刻情報も取得している。
また、前記構成では、対象装置側特定時刻情報と同様のタイミングで取得した情報管理装置の計時装置の特定の時刻情報である情報管理装置側特定時刻情報を有している。
したがって、取得した対象装置の基本情報の時刻情報が大きく誤っていた場合、これら対象装置側特定時刻情報と情報管理装置側特定時刻情報は、相違することとなる。
ところで、上記の基本情報が有している、非時刻計時情報（連続カウント値等）は、時刻情報でなく、例えば、利用者がそのデータを操作して狂わすことがない。
そこで、前記構成では、時刻修正部が情報管理装置側特定時刻情報を基準に、この非時刻計時情報で修正することで、基本情報の時刻情報を精度良く修正することができる構成としている。
【０００９】
好ましくは、前記対象装置側特定時刻情報と同様のタイミングで取得した情報管理装置側特定時刻情報と、前記対象装置側特定時刻情報との間の装置間時刻差分情報を生成する装置間時刻差分情報生成部と、前記装置間時刻差分情報に基づき前記時刻情報の修正をするべきか否かを判断する時刻修正実行判断部と、前記時刻修正実行判断部が修正するべきか否かを判断するための参照判断情報を格納する参照判断情報格納部と、を有することを特徴とする情報管理装置である。
【００１０】
前記構成によれば、対象装置側特定時刻情報と同様のタイミングで取得した情報管理装置側特定時刻情報と、対象装置側特定時刻情報との間の装置間時刻差分情報を生成する装置間時刻差分情報生成部と、装置間時刻差分情報に基づき時刻情報の修正をするべきか否かを判断する時刻修正実行判断部と、時刻修正実行判断部が修正するべきか否かを判断するための参照判断情報を格納する参照判断情報格納部と、を有している。
このため、対象装置側特定時刻情報と情報管理装置側特定時刻情報との間に差があっても、その差が時刻修正をすべきか否か、参照判断情報を参照して時刻修正実行判断部が判断する。したがって、当該対象装置にとって、修正不要な軽微な時間差があっても、かかる場合は、時刻修正を実行しないで済むので、無駄な動作等を省略することができ効率的な情報管理装置となる。
【００１１】
好ましくは、前記基本情報の前記時刻情報を修正した修正結果情報を表示する表示部を有することを特徴とする情報管理装置である。
【００１２】
前記構成によれば、前記基本情報の前記時刻情報を修正した修正結果情報を表示する表示部を有するので、修正結果を利用者等に知らせることができ、利用者等の事後の時計等の操作方法等の指導等を促すことができる。
【００１３】
前記課題は本発明によれば、対象装置の時刻情報及び非時刻情報であって特定基準からの時の経過を規則的に計測する非時刻計時情報を伴う基本情報と、前記非時刻計時情報を伴う前記対象装置の特定の時刻情報である対象装置側特定時刻情報を対象装置情報取得部が取得する工程と、前記基本情報を基本情報格納部に格納する工程と、前記対象装置側特定時刻情報を対象装置側特定時刻情報格納部に格納する工程と、を有し、前記対象装置側特定時刻情報と同様のタイミングで取得した情報管理装置の計時装置の特定の時刻情報である情報管理装置側特定時刻情報及び前記非時刻計時情報に基づき、当該非時刻計時情報に対応する前記基本情報の前記時刻情報を時刻修正部が修正することを特徴する情報管理方法により達成される。
【００１４】
好ましくは、前記対象装置側特定時刻情報と同様のタイミングで取得した情報管理装置側特定時刻情報と、前記対象装置側特定時刻情報との間の装置間時刻差分情報を装置間時刻差分情報生成部が生成する工程と、前記装置間時刻差分情報に基づき前記時刻情報の修正をするべきか否かを参照判断情報格納部の参照判断情報に基づいて時刻修正実行判断部が判断する工程と、を有することを特徴とする情報管理方法である。
【００１５】
好ましくは、前記時刻修正部が前記基本情報の前記時刻情報を修正した修正結果情報を表示部に表示することを特徴とする情報管理方法である。
【００１６】
前記課題は、本発明によれば、生体情報の検出機能を有し、生体または生体由来物質から生体情報を取得する測定部と、情報を表示する測定装置表示部と、時刻情報を生成する測定装置時計と、非時刻情報であって特定基準時からの時の経過を規則的に計測する非時刻計時情報を生成する非時刻情報生成装置と、他の装置と通信するための通信部と、を有する生体情報取得装置であって、前記生体情報を取得した時に、前記測定装置時計の生成する時刻情報と、前記非時刻情報生成装置の非時刻情報を、前記生体情報と関連付けて格納する測定データ記憶部を有することを特徴とする生体情報取得装置により達成される。
【００１７】
前記課題は、本発明によれば、生体情報の検出機能を有し、生体または生体由来物質から生体情報を取得する測定部と、情報を表示する測定装置表示部と、時刻情報を生成する測定装置時計と、非時刻情報であって特定基準時からの時の経過を規則的に計測する非時刻計時情報を生成する非時刻情報生成装置と、他の装置と通信するための通信部と、を有する生体情報取得装置と、前記生体情報取得装置の時刻情報及び、非時刻情報であって特定基準時からの時の経過を規則的に計測する非時刻計時情報を伴う基本情報と、前記非時刻計時情報を伴う前記生体情報取得装置の特定の時刻情報である対象装置側特定時刻情報を取得する対象装置情報取得部と、を有する情報管理装置を備える生体情報管理システムであって、前記生体情報取得装置は、前記生体情報を取得した時に、前記測定装置時計の生成する時刻情報と、前記非時刻情報生成装置の非時刻情報を、前記生体情報と関連付けて測定データ記憶部を有し、前記情報管理装置は、前記基本情報を格納する基本情報格納部と、前記対象装置側特定時刻情報を格納する対象装置側特定時刻情報格納部と、前記対象装置側特定時刻情報と同様のタイミングで取得した情報管理装置の計時装置の特定の時刻情報である情報管理装置側特定時刻情報及び前記非時刻計時情報に基づき、当該非時刻計時情報に対応する前記基本情報の前記時刻情報を修正する時刻修正部と、を有することを特徴する生体情報管理システムにより達成される。
【発明の効果】
【００１８】
本発明は、血糖測定装置等の対象装置の構成を複雑化することなく、また、その装置の操作に影響を及ぼすことなく、その時刻情報等の誤差等を簡易且つ精度良く修正等することができる情報管理装置、情報管理方法、生体情報取得装置及び生体情報管理システムを提供することができるという利点がある。
【図面の簡単な説明】
【００１９】
【図１】本発明に係る情報管理装置を適用した実施の形態に係る生体情報管理システムを示す概略図である。
【図２】図１の情報管理装置の主なハードウエア構成等を示す概略図である。
【図３】携帯用血糖測定装置の主な構成を示す概略ブロック図である。
【図４】情報管理装置の主な構成を示す概略ブロック図である。
【図５】本実施の形態にかかる生体情報管理システムの主な動作等を示す概略フローチャートである。
【図６】本実施の形態にかかる生体情報管理システムの主な動作等を示す他の概略フローチャートである。
【図７】血糖測定装置側時刻及びカウント付血糖測定データの内容を示す概略図である。
【図８】血糖測定装置側カウント付送信時刻データの内容を示す概略図である。
【図９】情報管理装置側時刻及びカウント付血糖測定データを示す概略図である。
【図１０】情報管理装置側血糖測定装置のカウント付送信時刻データを示す概略図である。
【図１１】情報管理装置側受信時刻データを示す概略図である。
【発明を実施するための形態】
【００２０】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００２１】
図１は、本発明に係る情報管理装置を適用した実施の形態に係る生体情報管理システム１を示す概略図である。図１においてコンピュータ等から成る情報管理装置１０は、対象装置及び生体情報取得装置である例えば携帯用血糖測定装置５０とケーブル２等を介して通信可能な構成となっている。
すなわち、利用者は、図１の携帯用血糖測定装置５０のみを自宅等に持ち込み、自宅で必要に応じて生体情報である例えば、血糖値の測定を行うことができるようになっている。
一方、情報管理装置１０は、病院等に配置され、医師等が操作可能な状態に置かれることになる。
この状態で、利用者が自宅等で携帯用血糖測定装置５０を使用して、複数回、血糖測定を行った後、利用者は、この血糖測定装置５０を持って病院に行き、診察等を受けることになる。このとき、持ち込まれた血糖測定装置５０は、図１に示すように、ケーブル２等で情報管理装置１０に接続され、血糖測定装置５０内のデータが情報管理装置１０内に取り込まれることになる。
【００２２】
そして、取り込まれた血糖測定データは、医師等がキーボード等の入力手段１１を操作することで、表示部である情報管理装置側ディスプレイ１２に表示される構成となっている。
一方、携帯用血糖測定装置５０にも、データを表示する測定装置表示部である例えば血糖測定装置側ディスプレイ５１が形成されている。
なお、情報管理装置側ディスプレイ１２に表示される血糖測定データは、後述するように、血糖測定値の測定データと、その測定時刻等であり、これらは、相互に関連付けて表示される。
【００２３】
図２は、図１の情報管理装置１０の主なハードウエア構成等を示す概略図である。図２に示すように情報管理装置１０は、コンピュータ等から成っているため、コンピュータは、ＣＰＵ（Ｃｅｎｔｒａｌ  Ｐｒｏｃｅｓｓｉｎｇ  Ｕｎｉｔ）１３、ＲＡＭ（Ｒａｎｄｏｍ  Ａｃｃｅｓｓ  Ｍｅｍｏｒｙ）１４、ＲＯＭ（Ｒｅａｄ  Ｏｎｌｙ  Ｍｅｍｏｒｙ）１５、ハードディスク１６等を有し、これらはバス１７を介して配置されている。
ところで、バス１７は、すべてのデバイスを接続する機能を有し、アドレスやデータパスを有する内部パスである。ＣＰＵ１３は所定のプログラムの処理を行う他、バス１７に接続されたＲＯＭ１５等を制御している。ＲＯＭ１５は、各種プログラムや各種情報等を格納している。ＲＡＭ１４は、プログラム処理中のメモリの内容を対比したり、プログラムを実行するためのエリアとしての機能を有する。
また、このバス１７には、図２に示すように、図１の携帯用血糖測定装置５０と通信するための情報管理装置側通信装置１８や計時装置である情報管理装置側時計１９も接続されている。
【００２４】
図３は、携帯用血糖測定装置５０の主な構成を示す概略ブロック図である。図３に示すように、携帯用血糖測定装置５０は、血糖測定装置側制御部６１を介して、実際に採血された血液中の血糖値を測定する血糖測定装置本体５２、血糖測定装置側ディスプレイ５１、計時装置及び測定装置時計である例えば血糖測定装置側時計５３が接続されている。また、図１の情報管理装置１０と通信するための通信部である例えば、血糖測定装置側通信装置５５も接続されている。
すなわち、血糖測定装置本体５２は、生体情報の検出機能を有し、生体または生体由来物質から生体情報を取得する測定部の一例となっている。
また、携帯用血糖測定装置５０は、非時刻計時情報である、例えば連続カウント値を生成する非時刻情報生成装置である例えば、連続カウント装置５４を有している。この連続カウント装置５４が生成する連続カウント値は、例えば１秒毎のカウント値である。また、携帯測定装置側測定装置５５は、その駆動等に必要な電力を供給する電池５６を備えている。そして、連続カウント装置５４は、特定基準時である例えば、電池５６の装着時をトリガーとして、１秒毎にカウントを開始する構成となっている。
このように、連続カウント装置５４は、図３の血糖装置側時計５３と異なる非時計情報であって電池５６の装着時から時の経過を規則的に計測する装置となっている。
図３に示す携帯用血糖測定装置５０の主なソフトウエア構成については後述する。
【００２５】
図４は、情報管理装置１０の主な構成を示す概略ブロック図であり、情報管理装置側制御部２０を介して、図２で示した情報管理装置側ディスプレイ１２、入力装置１１、情報管理装置側通信装置１８及び情報管理装置側時計１９等が接続されている。図４に示す情報管理装置１０の主なソフトウエア構成については後述する。
なお、情報管理装置側時計１９は、インターネット等を介して正確なシステム時刻を得ることができるため、図３の血糖測定装置側時計５３よりも高精度な時計となっている。
図５及び図６は、本実施の形態にかかる生体情報管理システム１の主な動作等を示す概略フローチャートである。
以下、図５及び図６のフローチャートに沿って、生体情報管理システム１の動作等を説明しながら図３及び図４のソフトウエア構成等について説明する。
【００２６】
先ず、図５のフローチャートを説明する。
図１の携帯用血糖測定装置５０を自宅等で使用する際、携帯用血糖測定装置５０は、その駆動等のために電池５６を装着する。
そこで、図５のＳＴ１で、電池が装着されたか否かが判断される。具体的には、図３の電池装着判断プログラム５７が判断する。
ＳＴ１で、電池５６が装着されたと判断された場合は、ＳＴ２で、図３の連続カウント装置５４がカウントを開始する。具体的には、１秒毎にカウントする。
【００２７】
次に、ＳＴ３へ進む。ＳＴ３では、血糖測定データを取得したか否かを判断する。具体的には、図３の血糖測定データ登録プログラム５８が動作し、図３の血糖測定装置本体５２が採血後、その血糖値データを取得したか否かを判断する。
そして、ＳＴ３で、血糖測定データを取得したと判断した場合は、ＳＴ４で、血糖測定データを取得したタイミングにおける血糖測定装置側時計５３の時刻データ及び連続カウント装置５４のカウント値を参照し、これらと関連付けて血糖測定装置側時刻及びカウント付血糖測定データ５９ａとして、測定データ記憶部である例えば血糖測定装置側時刻及びカウント付血糖測定データ格納部５９に登録することになる。具体的には、血糖測定データ登録プログラム５８が動作する。
【００２８】
図７は、かかる血糖測定装置側時刻及びカウント付血糖測定データ５９ａの内容を示す概略図である。
図７に示すように、血糖測定装置側時刻及びカウント付血糖測定データでは、血糖測定値が、その測定を行った血糖測定時刻及びカウント値と関連付けて登録されている。この血糖測定装置側時刻付血糖測定データ５９ａが対象装置の時刻情報及び非時刻計時情報を伴う基本情報の一例となる。
このようにして、携帯用血糖測定装置５０では、測定時刻及びカウント値と関連付けられる血糖測定データ、つまり、血糖測定装置側時刻及びカウント付血糖測定データ５９ａが生成される。
本実施の形態では、例えば、図７に示す４つの測定データを例に説明する。すなわち、測定時刻が２００８年１０月３０日７時３０分で血糖測定値が１００、測定時カウント値が１０，０００、同年１２月１０日８時３０分で血糖測定値が１５０、測定時カウント値が９６３，９９９、同年１２月２０日で、血糖測定値が２００、測定時カウント値が１８２６，２００、２０１０年１月１０日で、血糖測定値が１００で、測定時カウント値が３，５５２，４００である。
【００２９】
次に、ＳＴ５へ進む。ＳＴ５では、携帯用血糖測定装置５０が、図１の情報管理装置１０とケーブル２等で接続され、データの通信モードとなったか否かを判断する。具体的には、図３の通信モード判断プログラム６０が判断する。
次いで、ＳＴ６で、携帯用血糖測定装置５０は、図３の血糖測定装置側時刻及びカウント付血糖測定データ５９ａを、情報管理装置１０へ送信するが、この送信タイミングにおける血糖測定装置側時計５３の送信時刻と、これと同様のタイミングの連続カウント装置５４のカウント値を取得し、送信時刻と関連付けて血糖測定装置側カウント付送信時刻データ６２ａとして、血糖測定装置側カウント付送信時刻データ格納部６２に登録する。
この動作は、具体的には、図３の血糖測定装置側カウント付送信時刻データ生成プログラム６３が実行する。
図８は、かかる血糖測定装置側カウント付送信時刻データ６２ａの内容を示す概略図である。図８に示すように、血糖測定装置側送信時刻が、例えば、２０１０年１月１０日、１０時で、そのカウント値が３，５６１，４００となっている。
この動作が終了すると直ぐ、携帯用血糖測定装置５０は、この血糖測定装置側カウント付送信時刻データ６２ａと、血糖測定装置側時刻及びカウント付血糖測定データ５９ａを図１の情報管理装置１０に送信する。
この送信では、図３のデータ送受信プログラム６４が動作し、血糖測定装置側通信装置５５を介して行われる。
【００３０】
この血糖測定装置側カウント付送信時刻データ６２ａが、非時刻計時情報を伴う対象装置側特定時刻情報の一例である。
【００３１】
次いで、ＳＴ７へ進む。ＳＴ７では、図１の情報管理装置１０が、携帯用血糖測定装置１０から送信されてきた血糖測定装置側時刻及びカウント付血糖測定データ５９ａと血糖測定装置側カウント付送信時刻データ６２ａを受信し、登録する。
具体的には、対象装置情報取得部である図４の情報管理装置側通信装置１８が、これらのデータを受信する。
また、図４の血糖測定装置側データ登録プログラム２１が、血糖測定装置側時刻及びカウント付血糖測定データ５９ａを、情報管理装置側時刻及びカウント付血糖測定データ２２ａとして、情報管理装置側時刻及びカウント付血糖測定データ格納部２２に登録する。また、同プログラムが、血糖測定装置側カウント付送信時刻データ６２ａを、情報管理装置側血糖測定装置のカウント付送信時刻データ２３ａとして、情報管理装置側血糖測定装置のカウント付送信時刻データ格納部２３に登録する。
【００３２】
図９は、情報管理装置側時刻及びカウント付血糖測定データ２２ａを示す概略図であり、携帯用血糖測定装置５０から受信した、測定時刻、測定値及び測定時カウント値がそれぞれ、相互に関連付けられて登録される。
すなわち、情報管理装置側時刻及びカウント付血糖測定データ格納部２２が、基本情報格納部の一例である。
【００３３】
図１０は、情報管理装置側血糖測定装置のカウント付送信時刻データ２３ａを示す概略図であり、携帯用血糖測定装置５０から受信した、血糖測定装置側送信時刻及びカウント値がそれぞれ、相互に関連付けられて登録される。
本実施の形態の例では、上述のように、血糖測定装置側送信時刻は２０１０年１月１０日、１０時であり、カウント値が３，５６１，４００である。
すなわち、情報管理装置側血糖測定装置のカウント付送信時刻データ格納部２３が対象装置側特定時刻情報格納部の一例である。
【００３４】
ＳＴ７では、この登録動作と共に、この受信のタイミングにおける情報管理装置側時計１９の時刻を受信時刻として登録する。
具体的には、図４の情報管理装置側受信時刻データ生成プログラム２４が動作して、この時刻を情報管理装置側受信時刻データ２５ａとして、情報管理装置側受信時刻データ格納部２５に登録する。
図１１は、情報管理装置側受信時刻データ２５ａを示す概略図であり、情報管理装置側受信時刻、例えば、２００８年１２月１０日、９時が登録されている。
すなわち、この情報管理装置側受信時刻データ２５ａが、情報管理装置側特定時刻情報の一例となっている。
【００３５】
次いで、ＳＴ８に進む。ＳＴ８では、図１０の情報管理装置側血糖測定装置のカウント付送信時刻データ２３ａの血糖測定装置側送信時刻、例えば、２０１０年１月１０日、１０時と、図１１の情報管理装置側受信時刻データ２５ａ、例えば、２００８年１２月１０日９時とに差があるか否かを判断する。
具体的には、図４の時刻比較プログラム２６が判断することになる。このため、時刻比較プログラム２６が、装置間時刻差分情報生成部の一例となっている。
これら両者の時刻は、ほぼ同様のタイミングで取得されたものである。すなわち、携帯用血糖測定装置５０側では、データの送信時の時刻であり、情報管理装置１０側では、このデータの受信時の時刻である。また、情報管理装置側時計１９は、上述のように、インターネット等を介して取得するシステム時刻であり正確となっている。したがって、血糖測定装置側時計５３が正確であれば、両者の時刻はほぼ一致し、血糖測定装置側時計５３が正確でなければ相違することとなる。
【００３６】
本実施の形態の例では、両者の時刻差は、１年１ヶ月１時間となり大きく相違することになる。この両者の時刻差が、装置間時刻情報差分情報の一例となっている。
そこで、ＳＴ９へ進む。ＳＴ９では、ＳＴ８で求めた時刻差が所定の範囲内であるか否かを判断する。
時刻差がある場合でも、そのデータによっては、無視してもよい誤差があり、このような場合にまで時刻修正動作を実行すると無駄な動作を強いることとなる。そこで、本実施の形態では、このような無駄な動作等を省略するための工程が設けられている。
本実施の形態では、図４に、参照判断情報格納部である例えば、時刻適正範囲データ格納部２７があり、ここに、修正すべき範囲の時刻差のデータが格納されている。
したがって、ＳＴ９では、時刻比較プログラム２６が、この時刻適正範囲データ格納部２７内のデータを参照して、ＳＴ８で求めた時刻差が、時刻修正すべき時刻差であるか否か判断することになる。
このように、時刻比較プログラム２６は、時刻修正実行判断部の一例となっている。
【００３７】
上述の例では、両者の時刻差が、１年１ヶ月１時間であり、これは、時刻修正すべき時刻差と判断されるので、続いてＳＴ１０へ進む。
ＳＴ１０及びＳＴ１１が、時刻修正の工程となる。
ＳＴ１０では、先ず、図１０の情報管理装置側血糖測定装置のカウント付送信時刻データのカウント値（図１０の例では、３，５６１，４００）を、図１１の情報管理装置側受信時刻データ２５ａに対応するカウント値とする。すなわち、ＳＴ８で両者に時刻差がある場合は、図１０の血糖測定装置側送信時刻が誤っている可能性が極めて高い。この誤差は、利用者が時刻修正装置を誤って操作等した場合等が考えられる。
【００３８】
一方、カウント値は、携帯用血糖測定装置５０の連続カウンタ装置５４が、電池５６の装着と共にカウントするものであり、誤差が生じる可能性が小さい。
そこで、本実施の形態では、図１０のカウント値と、正しい時刻を表示している図１１の情報管理装置側受信時刻データ２５ａを組合せ、これを基準に、図９の測定時刻を修正しようとするものである。
具体的には、先ず、図１０のカウント値（情報管理装置側受信時刻２５ａに対応）である「３，５６１，４００」を基準として、図９の情報管理装置側時刻及びカウント付血糖測定データ２２ａの各測定時刻に対応する測定カウント値との差分でカウント値を求め、それを時刻修正用カウント値として、図９の時刻修正用カウント値の欄に登録する。
【００３９】
具体的には、図４の時刻修正用カウント値生成プログラム２８が実行する。図９の時刻修正用カウント値は、正しい時刻である図１１の情報管理装置側受信時刻データ２５ａと図９の各測定時刻との差分を示すカウント値となる。
そこで、ＳＴ１１では、図１１の情報管理装置側受信時刻データ２５ａから、図９の時刻修正用カウント値に基づいて修正後測定時刻を演算し登録することで時刻修正が実行される。
具体的には、図４の修正後測定時刻データ生成プログラム２９が実行する。つまり、例えば、図９の最下段の測定時刻を修正するときは、図１１の情報管理装置側受信時刻である「２００８年１２月１０日、１０時」から図９の時刻修正用カウント値の最下段の値「９，０００」、すなわち、「９，０００秒」分だけ引けば、正しい時刻「２００８年１２月１０日、６時３０分」が求められる。
同様に、各測定時刻について、対応する時刻修正用カウント値分だけ差し引くことで正しい、すなわち、修正後測定時刻が求められ、これらの時刻は図９の修正後測定時刻の欄に、測定時刻と関連付けて登録されることになる。
【００４０】
ここで、時刻比較プログラム２６及び修正後測定時刻データ生成プログラム２９が、時刻修正部の一例となっている。
【００４１】
次いで、ＳＴ１２で、図９の時刻修正用カウント値と修正後測定時刻を、情報管理装置側ディスプレイ１２及び／又は血糖測定装置側ディスプレイ５１に表示して、終了する。
具体的には、時刻修正結果表示プログラム３０で実行される。また、これら時刻修正用カウント値と修正後測定時刻が、修正時刻情報の一例となっている。
【００４２】
以上のように、本実施の形態によれば、携帯用血糖測定装置５０の連続カウント装置５４のカウント値を血糖測定の測定時刻と関連付けているので、このカウント値を基準に精度良く、図９の測定時刻を修正することができることになる。
また、この時刻修正用カウント値と修正後測定時刻を、情報管理装置側ディスプレイ１２及び／又は血糖測定装置側ディスプレイ５１に表示するので、利用者に修正結果を知らせることができ、利用者の事後の時計の操作方法等の指導等を促すこともできる。
【００４３】
本発明は、上述の各実施の形態に限定されない。
【符号の説明】
【００４４】
１・・・生体情報管理システム、２・・・ケーブル、１０・・・情報管理装置、１１・・・入力手段、１２・・・情報管理装置側ディスプレイ、１３・・・ＣＰＵ、１４・・・ＲＡＭ、１５・・ＲＯＭ、１６・・・ハードディスク、１７・・・バス、１８・・・情報管理装置側通信装置、１９・・・情報管理装置側時計、２０・・・情報管理装置側制御部、２１・・・血糖測定装置側データ登録プログラム、２２・・・情報管理装置側時刻及びカウント付血糖測定データ格納部、２３・・・情報管理装置側血糖測定装置のカウント付送信時刻データ格納部、２４・・・情報管理装置側受信時刻データ生成プログラム、２５・・・情報管理装置側受信時刻データ格納部、２６・・・時刻比較プログラム、２７・・・時刻適正範囲データ格納部、２８・・・時刻修正用カウント値生成プログラム、２９・・・修正後測定時刻データ生成プログラム、３０・・・時刻修正結果表示プログラム、５０・・・携帯用血糖測定装置、５１・・・血糖測定装置側ディスプレイ、５２・・・血糖測定装置本体、５３・・・血糖測定装置側時計、５４・・・連続カウント装置、５５・・・血糖測定装置側通信装置、５６・・・電池、５７・・・電池装着判断プログラム、５８・・・血糖測定データ登録プログラム、５９・・・血糖測定装置側時刻及びカウント付血糖測定データ格納部、６０・・・通信モード判断プログラム、６１・・・血糖測定装置側制御部、６２・・・血糖測定装置側カウント付送信時刻データ格納部、６３・・・血糖測定装置側カウント付送信時刻データ生成プログラム、６４・・・データ送受信プログラム
【図１】
2010233695.tif 000003
【図２】
2010233695.tif 000004
【図３】
2010233695.tif 000005
【図４】
2010233695.tif 000006
【図５】
2010233695.tif 000007
【図６】
2010233695.tif 000008
【図７】
2010233695.tif 000009
【図８】
2010233695.tif 000010
【図９】
2010233695.tif 000011
【図１０】
2010233695.tif 000012
【図１１】
2010233695.tif 000013